(57)【要約】【課題】  不使用時には、ノズルカバーによりノズル先端を閉じて内容液の固化を防ぐようにし、ノズルカバーの押圧操作にあたって、蓋板が吐出ノズル先端に摺接することなく、吐出口の開閉をスムーズにするとともに、残液をかき取ることがないようにした操作性の優れた液体吐出装置と、該装置に使用できる内容液を提供すること。【解決手段】  液体吐出装置として、ポンプのステムに取着されたノズルヘッドと、ノズルカバーとを備えた液体吐出装置であって、ノズルヘッドは、ノズル基部と吐出ノズルとからなり、ノズルカバーは、カバー基部と、吐出ノズルの吐出口を開閉する蓋板を具えたノズル蓋部とからなり、ノズルヘッドとノズルカバーとの間に弾性体を配置し、ノズルヘッドとノズルカバーとの連結部に、軸体と長孔状の軸受けとから構成される係合部を配設したことを特徴とする。【選択図】  図１
2006016077.tif 000002
【特許請求の範囲】
【請求項１】
ポンプのステムに取着されたノズルヘッドと、ノズルカバーとを備えた液体吐出装置であって、
ノズルヘッドは、ノズル基部と吐出ノズルとからなり、
ノズルカバーは、カバー基部と、吐出ノズルの吐出口を開閉する蓋板を具えたノズル蓋部とからなり、
ノズルヘッドとノズルカバーとの間に弾性体を配置し、
ノズルヘッドとノズルカバーとの連結部に、軸体と長孔状の軸受けとから構成される係合部を配設したことを特徴とする液体吐出装置。
【請求項２】
前記連結部が、ノズル基部に立設された支持片に設けられた軸体または長孔状の軸受けのいずれか一方の係合部と、ノズルカバーに垂設された支持体に設けられた他方の係合部によって連結されていることを特徴とする請求項１記載の液体吐出装置。
【請求項３】
前記連結部が、吐出ノズルの側面に設けられた軸体または長孔状の軸受けのいずれか一方の係合部と、ノズルカバーの内面に設けられた他方の係合部によって連結されていることを特徴とする請求項１記載の液体吐出装置。
【請求項４】
ノズルカバーが、ノズルヘッド全体を覆うようにしたことを特徴とする請求項１〜３記載の液体吐出装置。
【請求項５】
ノズルカバーのカバー基部とノズル蓋部とが、ヒンジによって連設されていることを特徴とする請求項１、または３、または４記載の液体吐出装置。
【請求項６】
カバー基部が、頂壁と側周壁とからなり、
側周壁のノズル蓋部側に切欠部が設けられ、ノズル蓋部が、切欠部上端の頂壁端縁にヒンジによって連設され、切欠部下端部に側周壁下端を全周にわたって接続する連結部が配設されていることを特徴とする請求項５記載の液吐出装置。
【請求項７】
組成成分中に含まれる固形成分が、１０質量％以上配合されていることを特徴とする請求項１〜６記載の液体吐出装置に充填される粘性液。
【発明の詳細な説明】
【技術分野】
【０００１】
本発明は、液体吐出装置、とくにノズルヘッドに吐出口を開閉する蓋体を具えたノズルカバーを取着した液体吐出装置に関するものである。
【背景技術】
【０００２】
シャンプー、リンス、化粧料、液体皮膚洗浄剤、洗剤、洗濯仕上げ剤等の内容物が充填されたボトルに被着される液体吐出装置は、従来より知られている。
従来の液体吐出装置は、ノズル内面に内容物を付着させたまま長時間放置すると、内容物が固化し、吐出ノズル内面に固着し、ノズル孔が狭くなって吐出不良となったり、時には目詰まりを起すことがあった。
このような不都合をなくすため、吐出ノズルの吐出口を開閉する蓋板を具えたノズルカバーをノズルヘッドに取付けたものも従来より知られている（特許文献１、２参照）。
【特許文献１】実公平６−３４８５４号公報
【特許文献２】特開平１０−２５８８６６号公報
【発明の開示】
【発明が解決しようとする課題】
【０００３】
しかしながら、上記従来の液吐出装置は、ノズルカバーの蓋板が、吐出ノズル先端に接触しながら上方に動くようになっているので、操作性がよくなかった。
【０００４】
また、ノズルカバーを閉じるときに、ノズル先端の残液がかき取られ、その残液がノズルカバーの蓋板上部に溜められて付着し、固化することもあった。
【０００５】
本発明は、上記問題を解決することを課題として、不使用時には、ノズルカバーによりノズル先端を閉じて内容液の固化を防ぐようにし、ノズルカバーの押圧操作にあたって、蓋板が吐出ノズル先端に摺接することなく、吐出口の開閉をスムーズにするとともに、残液をかき取ることがないようにした操作性の優れた液体吐出装置と、該装置に使用できる内容液を提供することを目的とする。
【課題を解決するための手段】
【０００６】
本発明は、上記の課題を解決するため、液体吐出装置として、ポンプのステムに取着されたノズルヘッドと、ノズルカバーとを備えた液体吐出装置であって、ノズルヘッドは、ノズル基部と吐出ノズルとからなり、ノズルカバーは、カバー基部と、吐出ノズルの吐出口を開閉する蓋板を具えたノズル蓋部とからなり、ノズルヘッドとノズルカバーとの間に弾性体を配置し、ノズルヘッドとノズルカバーとの連結部に、軸体と長孔状の軸受けとから構成される係合部を配設したことを特徴とする構成を採用する。
【０００７】
連結部の実施例として、連結部が、ノズル基部に立設された支持片に設けられた軸体または長孔状の軸受けのいずれか一方の係合部と、ノズルカバーに垂設された支持体に設けられた他方の係合部によって連結されていることを特徴とする構成、または、連結部が、吐出ノズルの側面に設けられた軸体または長孔状の軸受けのいずれか一方の係合部と、ノズルカバーの内面に設けられた他方の係合部によって連結されていることを特徴とする構成を採用する。
【０００８】
ノズルカバーの実施例として、ノズルカバーが、ノズルヘッド全体を覆うようにしたことを特徴とする構成、或いは、ノズルカバーのカバー基部とノズル蓋部とが、ヒンジによって連設されていることを特徴とする構成を採用する。
【０００９】
カバー基部の実施例として、カバー基部が、頂壁と側周壁とからなり、側周壁のノズル蓋部側に切欠部が設けられ、ノズル蓋部が、切欠部上端の頂壁端縁にヒンジによって連設され、切欠部下端部に側周壁下端を全周にわたって接続する連結部が配設されていることを特徴とする構成を採用する。
【００１０】
内容液として、組成成分中に含まれる固形成分が、１０質量％以上配合されている粘性液でも使用することができる。
【発明の効果】
【００１１】
本発明の液体吐出装置は、ノズルヘッドとノズルカバーとの間に弾性体を配設し、連結部を、軸体と長孔状の軸受けとから構成される係合部で連結しているから、吐出ノズルの吐出口を開閉する蓋体を前方に移動しながら揺動し、ノズルカバーの開閉操作がスムースに行えるようになった。
そして、吐出口を開閉する蓋板を閉じることにより、ノズル内面に内容物が固着して発生する吐出不良や、ノズルの目詰まりをなくすことができる。
そのため、使用可能な内容液の範囲を広くすることができた。
【００１２】
ノズルヘッド全体をノズルカバーで覆っているので、ノズルカバーの押圧面が広くなり、確実かつ軽快に作動させることができ、浴室等において使用しても、ノズルヘッド内に温水が入ることはなくなった。
また、ノズル基体の側周壁下端部を、連結部を介して全周にわたって接続した場合には、ノズルカバーの操作にあたって、側周壁下端が広がり変形することをなくすことができる。
【００１３】
パーツ数が少なく組み立てが容易になるので、生産性が高くなり、製造コストも削減できた。
【発明を実施するための最良の形態】
【００１４】
次に、本発明の液体吐出装置について実施例をあげ、図面を参照して説明する。
【実施例１】
【００１５】
図１〜２に示すように、本発明の液体吐出装置は、ポンプＡとノズルヘッドＢとノズルカバーＣとから構成され、ポンプＡは、取付キャップＡ１を介して、容器に取着されている。
容器には、内容物として、シャンプー、リンス、化粧料、液体皮膚洗浄剤、洗剤、洗濯仕上げ剤等の家庭用品が収納されている。
【００１６】
ノズルヘッドＢは、ポンプＡのステム１に嵌着する嵌着筒２を設けたノズル基部３と、先端に吐出口４を開口した吐出ノズル５とからなっており、ノズル基部３の上面には、軸ピン６を突出形成した軸支持片７が突設され、上面の中央部には、凹溝８が刻設されている。
【００１７】
ノズルカバーＣは、ノズルヘッドＢ全体を覆う形状となっており、ノズル基部３を覆うカバー基部１０と吐出ノズル５を覆うノズル蓋部１１とからなっている。
カバー基部１０は、ドーム状の頂壁１２と側周壁１３とを具えており、ノズル蓋部１１は、頂壁１２より低く位置する頂壁１４と、側周壁１３に連設された側壁１５と、頂壁１４先端から垂設され吐出口４を開閉する蓋板１６とからなっている。
【００１８】
カバー基部１０の頂壁１２下面中央には、頂壁１２から垂下し、吐出ノズル５の軸線方向に延び、下端がノズルヘッドＢの凹溝８底面に接合するばね板１７が連設されている。  頂壁１２のノズル蓋部１１側には、ノズルヘッドＢに設けられた軸ピン６に係合する斜め方向に延びる長円孔状の軸受部１８を設けた支持体１９が垂設されている。
【００１９】
ノズルカバーＣの取付けは、ノズルカバーＣをノズルヘッドＢに被せ、支持体１９の長円孔状の軸受部１８に、ノズルヘッドＢの軸支持片７の軸ピン６が嵌挿されるようにすることによって簡単に結合できる。
【００２０】
その際、ばね板１７の弾撥力によりカバー基部１０の頂壁１２が後方に押上げられ、軸ピン６は、長円孔状の軸受部１８の下端と係合し、ノズル蓋部１１の蓋板１６は、吐出ノズル５の吐出口４を力が加わった状態で閉鎖している。
そして、ばね板１７の下面は、凹溝８の底面に接合し、ノズルカバーＣを定位置に維持するようにしている。
【００２１】
ポンプＡは、ノズルヘッドＢの押下げにより、吐出ノズル５の吐出口４より内容液を吐出し、ノズルヘッドＢの上昇に応じて容器内の内容液をポンプＡ内に吸上げるものであればよく、図示したもの以外にも、公知の種々のタイプのものが使用できるので説明は省略する。
【００２２】
液体吐出装置は、容器に取付けたポンプＡのステム１に、ノズルカバーＣを施したノズルヘッドＢの嵌着筒２を嵌着することによって得ることができる。
【００２３】
次に、本液体吐出装置の作用効果について説明する。
使用にあたって、ノズルカバーＣの頂壁１２を押圧していくと、図２に示すように、まず、長円孔状の軸受部１８と軸ピン６とが滑動して、軸受部１８の上端が軸ピン６に係合され、ノズルカバーＣを軸ピン６を中心に廻動させ、ノズル蓋部１１の蓋板１６を吐出ノズル５の吐出口４より前方に離間するとともに上方に移動させ、ノズルカバーＣの押下げに応じてばね板１７がさらに湾曲されて、ノズルヘッドＢを押下げる。
【００２４】
ノズルヘッドＢの押下げにより、吐出ノズル５より内容物が吐出され、押下げを解くと吐出が止まり、ポンプＡ内のばねによりノズルヘッドＢが上昇する。
ノズルカバーＣから手を離すと、ノズルカバーＣがばね板１７の弾撥力により上方に押上げられ、軸ピン６が軸受部１８の下端に係合してノズルカバーＣが廻動し、ノズル蓋部１１が後方に移動するとともに、蓋板１６によって吐出口４が閉鎖される。
【００２５】
したがって、吐出後に、吐出ノズル５内の内容液によって液だれを起こすことはなく、また、蓋板１６によって大気の侵入を阻止することができるので、大気中の塵埃がノズルヘッドＢに入ったり、内容物が固化し、吐出ノズル５内面に付着して目詰まりを起こすようなことはない。
そして、ノズルカバーＣは、ノズルヘッドＢの全体を覆うので、外観の見栄えもよく、シャワー等のある浴室等での使用にも適する。 
【実施例２】
【００２６】
次に、第２実施例について説明する。
図３〜５に示すように、ポンプ（図示せず）とノズルヘッドＢａとノズルカバーＣａとから構成されている。
【００２７】
ノズルヘッドＢａは、ポンプのステム１ａに嵌着する嵌着筒２ａを設けたノズル基部２５と、先端に吐出口４ａを開口した吐出ノズル２６とからなっている。
ノズル基部２５は、平坦な頂壁２７と側周壁２８とを具え、頂壁２７下面には、嵌着筒２ａに連通する流路２９が設けられている。
【００２８】
吐出ノズル２６は、上面を頂壁２７と面一として側周壁２８から突出されており、その内周は、流路２９に連続した流出路３０となっており、吐出ノズル２６外周の根本部側部には、軸ピン３１が突設されている。
【００２９】
ノズルカバーＣａは、ノズル基部２５を覆うカバー基部３５と、該カバー基部３５に連設され、吐出ノズル２６を覆うノズル蓋部３６とからなっている。
カバー基部３５は、平坦な頂壁３７と、ノズル基部２５の側周壁２８の高さより高い側周壁３８とを具えており、頂壁３７と側周壁３８のノズル蓋部３６を連設する側には、ノズル蓋部３６が揺動できるだけの巾を有する切欠部３９が形成されている。
【００３０】
頂壁３７の下面には、周方向に等間隔をおいて複数のばね板４０が垂設されており、その下端は、ノズル基部２５の頂壁２７に係合している。
側周壁３８の下端には、ノズル基部２５の側周壁２８の下端に係合する膨出部４１が設けられている。
【００３１】
ノズル蓋部３６は、カバー基部３５の切欠部上端の頂壁３７端縁にヒンジ４２によって接続され、傾斜する頂壁４３と、側壁４４と、頂壁４３の先端に垂下され、吐出ノズル２６の吐出口４ａを開閉する蓋板４５とからなっており、側壁４４の根本部分には、吐出ノズル２６の軸ピン３１が嵌挿される長円孔状の軸受部４６が水平方向に延びるように穿孔されている。
【００３２】
ノズルカバーＣａの取付けにあたっては、カバー基部３５をノズル基部２５に嵌挿すると、ばね板４０によってカバー基部３５は上方に付勢されるが、カバー基部３５下端の膨出部４１は、ノズル基部２５の側周壁２８下端に係合して、カバー基部３５の上昇を阻止する。
【００３３】
次いで、ノズル蓋部３６の頂壁４３を、ヒンジ４２を軸に廻動させて、頂壁４３を吐出ノズル２６と接合させると、長円孔状の軸受部４６はほぼ水平状態となり軸ピン３１が軸受部４６の先端側に係合し、ノズル蓋部３６の蓋板４５が吐出ノズル２６の吐出口４ａを力が加わった状態で閉鎖する。
【００３４】
吐出装置の使用にあたって、カバー基部３５を押圧すると、図５に示すように、ばね板４０を圧縮してノズル基部２５に向かって押下げられ、ノズル蓋部３６はヒンジ４２を中心に廻動し、長円孔状の軸受部４６と軸ピン３１は滑動して、軸ピン３１は軸受部４６の後端に係合し、蓋板４５は前方に移動しつつ上方に廻動する。
【００３５】
そのことによって、吐出口４ａの開閉は、ノズル先端をこすらず、スムーズに行われ、その他は前記第１実施例と同様の作用効果を得ることができる。
【実施例３】
【００３６】
次に、本発明の液体吐出装置の第３実施例について説明する。
本実施例は、第２実施例において、ノズルカバーの構成を変更したものである。
図６〜８において、Ｂｂはポンプ（図示せず）の上端に取着されたノズルヘッド、Ｃｂはノズルカバーである。
【００３７】
ノズルヘッドＢｂは、第２実施例と同様に、ポンプのステム１ｂに嵌着する嵌着筒２ｂを設けたノズル基部５０と、先端に吐出口を設けた吐出ノズル５１とからなっている。
ノズル基部５０は、平坦な頂壁５２と側周壁５３とを具え、頂壁５２下面には、嵌着筒２ｂに連通する流路が設けられている。
吐出ノズル５１は、上面を頂壁５２と面一として側周壁５３から突出されており、その内部は、ノズル基部５０内の流路に連続した流出路５４となっており、吐出ノズル５１外周の根本部側部には、軸ピン５５が突設されている。
【００３８】
ノズルカバーＣｂは、ノズル基部５０を覆うカバー基部５６と、該カバー基部５６に連設された吐出ノズル５１を覆うノズル蓋部５７とからなっている。
カバー基部５６は、頂壁５８と側周壁５９とからなっており、ノズル蓋部５７を連設する側の頂壁５８と側周壁５９には、ノズル蓋部５７が揺動できるだけの巾を有する切欠部６０が形成されている。
【００３９】
切欠部６０の下端部には、側周壁５９の下端を全周にわたって接続する連結部６１が架設されており、側周壁５９の下端には、ノズル基部５０の側周壁５３の下端に係合する膨出突条６２が設けられている。
頂壁５８の下面には、ノズル基部５０の頂壁５２を弾接する複数のばね板６３が設けられている。
【００４０】
ノズル蓋部５７は、カバー基部５６の頂壁５８にヒンジ６４を介して連設されており、頂壁５８に対して傾斜する頂壁６５と側壁６６と、頂壁６５の先端から垂下され、吐出ノズル５１の吐出口を開閉する蓋板６７とからなっている。
側壁６６の根本部には、吐出ノズル５１の軸ピン５５が嵌挿される長孔状の軸受部６８が穿設されている。
【００４１】
ノズルカバーＣｂの取付にあたっては、ノズル蓋部５７を上方に廻動させた状態で、吐出ノズル５１が、カバー基部５６の側周壁５９の下側から切欠部６０を通るようにして，カバー基部５６をノズル基部５０に重ね合わせ、ノズルカバーＣｂをノズルヘッドＢｂに被せる。
次いで、カバー基部５６から手を離すと、ばね板６３によってカバー基部５６は上方に付勢されるが、カバー基部５６下端の膨出突条６２が、ノズル基部５０の側周壁５３下端に係合してカバー基部５６の上昇が阻止される。
【００４２】
次いで、ノズル蓋部５７の頂壁６５を、ヒンジ６４を軸に廻動させて、頂壁６５を吐出ノズル５１と接合させると、長円孔状の軸受部６８はほぼ水平状態となり軸ピン５５が軸受部６８の先端側に係合し、ノズル蓋部５７の蓋板６７が吐出ノズル５１の吐出口を力が加わった状態で閉鎖する。
【００４３】
吐出装置の使用にあたって、カバー基部５６を押圧すると、図８に示すように、前記第２実施例と同様に、ノズル蓋部５７が廻動し、吐出ノズル５１から内容液を吐出することができる。
その際、カバー基部５６の側周壁５９下端は、切欠部６０下端の連結部６１によって全周にわたって接続されているので、ノズルカバーＣｂの押圧を繰り返しても、側周壁５９下端が広げられることはなく、側周壁５９の変形を防ぐことができる。
その他の作用効果については、前記第２実施形態と同様の作用効果を得ることができる。
【００４４】
上記各実施例において、ばね板１７、４０、６３は、いずれもノズルカバーＣ、Ｃａ、Ｃｂと一体に成形された弾性力を具えた樹脂ばねであるが、ノズルカバーとノズルヘッドとの間に配設されたゴム、エラストマー等の弾性部材、或いは金属製の板ばね、コイルばね等であってもよく、弾性体であれば、実施例に限定されない。
その配設個所、配設数についても、ノズルカバーをノズルヘッド上方に付勢するものであればよく、実施例に限定されない。
【００４５】
ノズルヘッドとノズルカバーの連結部について、それぞれの係合部として、ノズルヘッドの側には軸ピン６、３１、５５、ノズルカバーの側には長円孔状の軸受部１８、４６、６８を設けているが、ノズルヘッドの側に軸受部を設け、ノズルカバーの側に軸ピンを設けてもよい。
【００４６】
その際、ノズルカバーが最上昇位置にある時に、第１実施例においては軸ピンが軸受部の上端に係合するように位置させ、第２、第３実施例においては、軸ピンが軸受部のノズルヘッド基部側に係合するように位置させる。
また、第２、第３実施例において、軸受部を、吐出ノズルの先端を上側として傾斜させるようにしてもよい。
【００４７】
長円孔状の軸受部については、図に示すような長溝形状、または楕円形状、或いは円弧状溝でもよく、また、軸受部がノズルカバーの側にある場合には貫通孔としてもよく、軸受部の形状は、図示された実施例に限定されない。
【００４８】
次に、本発明の液体吐出装置に使用する内容液について説明する。
前記各実施例の液体吐出装置には、内容液として、シャンプー、リンス、各種化粧料、液体皮膚洗浄剤、洗剤、洗濯仕上げ剤等が使用される。
【００４９】
内容液の成分として、室温において、液状を呈する成分は、ノズル中における固化の原因とはならない。
しかし、室温において、本質的に固体、粘調液、ペースト状を呈する成分は、全て固化し、目詰まりの原因となる。
例えば、界面活性剤、高分子、有機系或いは無機系不溶性粉体，高級アルコール、無機および有機塩類、有機系或いは無機系のパール化剤および白濁化剤等がこれらの成分にあたる。
【００５０】
また、各々の成分は、室温では液状であるが、製品中などで互いに化学反応、イオン的或いは疎水結合的に相互作用を起こした結果、固体、粘調液、ペースト状を呈する場合も固化の原因となる。
組成より水を除いた量を固形成分と呼ぶとき、固形成分が全組成の１０％を超えると、ノズル内等では固化が発生し易く、とくに細いノズル内等では固化が発生しやすくなる。
【００５１】
また、高分子は固化の発生を促進し、この傾向は、とくに固形分が全組成の１０％を超え、かつ高分子が配合されている組成の場合に顕著である。
【００５２】
次に、内容液の例として、よく用いられる整髪料、液体石鹸等について、実施例をあげ、その成分を表記する。
整髪料として、表１〜表３に示すヘアジェル（表１）、ヘアワックス（表２）、ヘアクリーム（表３）が用いられる。
【００５３】
【表１】
2006016077.tif 000003
【００５４】
【表２】
2006016077.tif 000004
【００５５】
【表３】
2006016077.tif 000005
【００５６】
次に、各種液体石鹸として、薬用ハンドソープとして、二つの実施例をあげ、その成分を表４に示す。
【表４】
2006016077.tif 000006
【００５７】
次に、ボディソープとして、二つの実施例をあげ、その成分を表５に示す。  
【表５】
2006016077.tif 000007
【００５８】
次に、シャンプーについて、１１の実施例をあげて、その成分を、実施例１〜５を表６−１、実施例６〜１１を表６−２に示す。
【表６−１ａ】
2006016077.tif 000008
【表６−１ｂ】
2006016077.tif 000009
【００５９】
【表６−２ａ】
2006016077.tif 000010
【表６−２ｂ】
2006016077.tif 000011
【００６０】
ただし、上記各表の成分中の香料は、普通に用いられている一般的な香料組成物である。
なお、上記本発明の液体吐出装置に使用する内容液は、上記化粧料と液体石鹸に限定されない。
【００６１】
次に、本発明のノズルカバーを取着した液体吐出装置と、種々の液体吐出装置との比較試験を行った。
液体吐出装置のノズル機構を、蓋式、内蔵バルブ式、自閉式、および蓋なしの四つの型式に分類して、本発明のノズル機構と比較し、その結果を表７に示す。
【００６２】
表中において、型式Ａは、蓋式と呼ばれるもので、そのノズル機構は、実公昭６３−３５８１３号公報に記載されているように、ノズルの吐出口を閉鎖する蓋を設けたものである。
型式Ｂは、内蔵バルブ式と呼ばれるもので、そのノズル機構は、特開２００３−８１３１１号公報に記載されているように、ノズルヘッド（スパーウトカバー）の押圧に応じて、吐出ノズルの吐出口を開くバルブを、ノズル内に内蔵したものである。
型式Ｃは、自閉式と呼ばれるもので、そのノズル機構は、実用新案登録第２５７４６２６号公報に記載されているように、吐出口にスリットバルブを配設したもの、或いは、実開平６−６２５１号公報に記載されているようなノズル先端部に、ノズル周壁に環状に開いたプラグの円板部外周との間に注出口を形成するようにしたものである。
型式Ｄは、蓋をしていない従来より周知のノズルである。
【００６３】
試験方法は、内容液として、表３の実施例１に記載したハンドソープを用いて、１回吐出後、４０℃、湿度２０％の雰囲気中に放置し、１日、３日、１週間、２週間、１ヶ月経過したとき、ノズルの目詰まりをチェックし、目詰まりなし○  目詰まり始め△  完全な目詰まり×  として表記した。
【表７】
2006016077.tif 000012
【００６４】
試験を結果からみると、本発明の場合は、１ヶ月後で目詰まりが始まったが、使用性、価格など総合して評価すると、本発明が優れていることが分かる。
【産業上の利用可能性】
【００６５】
本発明の液体吐出装置は、ノズルヘッドとノズルカバーとの間に弾性体を配設し、連結部を、軸体と長孔状の軸受けとからなる係合部で連結し、吐出口を開閉する蓋体を前方に移動しながら揺動するようにしているので、ノズルカバーの開閉がノズル先端をこすらず、スムーズに行えるようになった。
【００６６】
また、ノズルヘッド全体をノズルカバーで覆っているので、ノズルカバーの押圧面が広くなり、確実かつ軽快に作動させることができ、浴室等において使用しても、ノズルヘッド内に温水が入ることはなくなった。
そのため、本発明の液体吐出装置は、シャンプー、リンス、化粧料、液体石鹸、洗剤等の家庭用に用いる液体、粘性液等の吐出装置として広く利用できる。
【図面の簡単な説明】
【００６７】
【図１】本発明第１実施例の液体吐出装置の一部断面立面図である。
【図２】ノズルヘッド押し下げ時の一部断面立面図である。
【図３】第２実施例の液体吐出装置の平面図である。
【図４】液体吐出装置の縦断立面図である。
【図５】ノズルカバー押圧時の一部破断立面図である。
【図６】第３実施例の液体吐出装置の縦断立面図である。
【図７】ノズルカバーの斜視図である。
【図８】ノズルカバー押圧時の一部破断立面図である。
【符号の説明】
【００６８】
Ａ                ポンプ
Ａ１              取付キャップ
Ｂ、Ｂａ、Ｂｂ    ノズルヘッド
Ｃ、Ｃａ、Ｃｂ    ノズルカバー
１、１ａ、１ｂ    ステム
２、２ａ、２ｂ    嵌着筒
３、２５、５０    ノズル基部
４、４ａ          吐出口
５、２６、５１    吐出ノズル
６、３１、５５    軸ピン
７                軸支持片
８                凹溝
１０、３５、５６  カバー基部
１１、３６、５７  ノズル蓋部
１２、３７、５８  頂壁
１３，３８、５９  側周壁
１４，４３、６５  頂壁
１５              側壁
１６、４５、６７  蓋板
１７、４０、６３  ばね板
１８、４６、６８  軸受部
１９              支持体
２７、５２        頂壁  
２８、５３        側周壁
３０、５４        流通路
３９、６０        切欠部
４１              膨出部
４２、６４        ヒンジ
４４、６６        側壁
６１              連結部
６２              膨出突条
【図１】
2006016077.tif 000013
【図２】
2006016077.tif 000014
【図３】
2006016077.tif 000015
【図４】
2006016077.tif 000016
【図５】
2006016077.tif 000017
【図６】
2006016077.tif 000018
【図７】
2006016077.tif 000019
【図８】
2006016077.tif 000020